(57)【特許請求の範囲】
【請求項１】
戸当たり枠に設けられた受け部材に、扉体側に設けた係止部材を係合させて施錠するロック装置において、
前記ロック装置は、前記扉体に固定される錠箱と、
前記錠箱に回転可能に設けられ、先端が前記受け部材と係合する鎌部材を備えた係止部材とからなり、
前記係止部材は、鎌部材が前記錠箱から突出し、前記受け部材と係合する施錠位置と前記錠箱内に収容された解錠位置で前記錠箱内にそれぞれ設けられた被係合部に係合する突起部を有する撓み性を備えた撓み部を備え、
前記撓み部は、前記係止部材の回転方向に沿って延出されたことを特徴とするロック装置。
【請求項２】
前記被係合部は、前記鎌部材を突出位置に保持する第１被係合部と、前記鎌部材を退避位置に保持する第２被係合部とから成り、
第１被係合部と第２被係合部とは、前記係止部材の回動中心と同心円上の離れた位置に形成されており、
前記第１被係合部と第２被係合部とはそれぞれ前記係止部材の撓み部が乗り越え可能な突部を備えたことを特徴とする請求項１に記載のロック装置。
【請求項３】
前記第１被係合部は、前記係止部材の撓み部が解錠状態から施錠状態に移行する際に当接する第１当接面と、施錠状態で当接する第２当接面とを有し、前記第２当接面は第１当接面より傾斜角度が大きいことを特徴とする請求項２に記載のロック装置。
【発明の詳細な説明】
【技術分野】
【０００１】
この発明は、浴室等の引き戸や折れ戸の端部に使用し、簡易に施錠、解錠することのできるロック装置に関するものである。
【背景技術】
【０００２】
従来、折れ戸等のロック装置は、種々の形式が提案されている。例えば、特許文献１に示すように、折れ戸の下框内の錠ケース内につまみを回転させることにより、引き戸下枠のレールと係脱する係合片を設けると共に、前記係合片の一部で前記係合片の回転に伴って回転する円盤部に２箇所の溝を設け、この溝に錠ケース側に設けた弾性変形する爪が係合することで、施錠位置と解錠位置を保持する折戸用錠が開示されている（特許文献１）。
【先行技術文献】
【特許文献】
【０００３】
【特許文献１】実公昭６２−４３０９６号公報
【発明の概要】
【発明が解決しようとする課題】
【０００４】
しかし、従来の特許文献１の場合では、錠ケース側部に弾性変形する爪を設けたので、爪の弾性変形を許容する空間が必要であった。このため、錠の設置スペースを錠ケース以上に確保する必要があった。
【０００５】
この発明は、上記したような不都合を解消する為になされたもので、錠箱（錠ケース）の周囲に余分なスペースを必要とすることなく、錠を設置することができるロック装置を提供するものである。
【課題を解決するための手段】
【０００６】
この発明は、以下のような内容である。
（１）上記目的を達成するため、本発明は戸当たり枠に設けられた受け部材に、扉体側に設けた係止部材を係合させて施錠するロック装置において、前記ロック装置は、前記扉体に固定される錠箱と、前記錠箱に回転可能に設けられ、先端が前記受け部材と係合する鎌部材を備えた係止部材とからなり、前記係止部材は、鎌部材が前記錠箱から突出し、前記受け部材と係合する施錠位置と前記錠箱内に収容された解錠位置で前記錠箱内にそれぞれ設けられた被係合部に係合する突起部を有する撓み性を備えた撓み部を備え、前記撓み部は、前記係止部材の回転方向に沿って延出されたことを特徴とする。
（２）また、前記被係合部は、前記鎌部材を突出位置に保持する第１被係合部と、前記鎌部材を退避位置に保持する第２被係合部とから成り、第１被係合部と第２被係合部とは、前記係止部材の回動中心と同心円上の離れた位置に形成されており、前記第１被係合部と第２被係合部とはそれぞれ前記係止部材の撓み部が乗り越え可能な突部を備えたことを特徴とする。
（３）前記第１被係合部は、前記係止部材の撓み部が解錠状態から施錠状態に移行する際に当接する第１当接面と、施錠状態で当接する第２当接面とを有し、前記第２当接面は第１当接面より傾斜角度が大きいことを特徴とする。
【発明の効果】
【０００７】
この発明によれば、戸当たり枠に設けられた受け部材に、扉体側に設けた係止部材を係合させて施錠するロック装置において、前記ロック装置は、前記扉体に固定される錠箱と、前記錠箱に回転可能に設けられ、先端が前記受け部材と係合する鎌部材を備えた係止部材とからなり、前記係止部材は、鎌部材が前記錠箱から突出し、前記受け部材と係合する施錠位置と前記錠箱内に収容された解錠位置で前記錠箱内にそれぞれ設けられた被係合部に係合する突起部を有する撓み性を備えた撓み部を備え、前記撓み部は、前記係止部材の回転方向に沿って延出されたので、周囲に余分なスペースを必要とすることなく、ロック装置を設置することができる。特に、撓み部が係止部材の回転平面内で撓むので、錠箱の側面方向の寸法を短縮でき、省スペース化を実現できる。
また、撓み部の弾性変形を係止部材の回動範囲に収めることができ、錠箱を変形させる必要がない。したがって、ロック装置設置上の自由度を増すことができる。
また、前記被係合部は、前記鎌部材を突出位置に保持する第１被係合部と、前記鎌部材を退避位置に保持する第２被係合部とから成り、第１被係合部と第２被係合部とは、前記係止部材の回動中心と同心円上の離れた位置に形成されており、前記第１被係合部と第２被係合部とはそれぞれ前記係止部材の撓み部が乗り越え可能な突部を備えたので、錠箱ではなく係止部材が撓み、設置場所の省スペース化を図ることができる。
また、前記第１被係合部は、前記係止部材の撓み部が解錠状態から施錠状態に移行する際に当接する第１当接面と、施錠状態で当接する第２当接面とを有し、前記第２当接面は第１当接面より傾斜角度が大きいので、施錠動作が容易であると共に、誤って解錠されるのを防止することができる。また、施錠時、解錠時にクリック感を得ることができる。
【図面の簡単な説明】
【０００８】
【図１】図１は、本発明の一実施形態を示すロック装置の施錠状態を示す縦断面図である。
【図２】図２は、同ロック装置の解錠状態を示す縦断面図である。
【図３】図３は、同ロック装置の横断面図である。
【図４】図４は、同ロック装置に使用される錠箱を示す説明図である。
【図５】図５は、同ロック装置に使用される鎌部材と保持部材を組み合わせた状態を示す説明図である。
【図６】図６（ａ）は、同ロック装置に使用される保持部材を示す側面図、（ｂ）は、正面図である。
【図７】図７は、同ロック装置の施錠状態を示す側面図である。
【図８】図８は、同ロック装置の施錠状態を示す正面図である。
【発明を実施するための形態】
【０００９】
本発明のロック装置は、鎌部材と共に回動し錠箱内壁に設けた被係合部と一部が弾性接触して前記鎌部材を突出位置と退避位置に保持する保持部材を備えることにより、錠箱ではなく保持部材が撓み、設置場所の省スペース化を図ることができるものである。
【実施例１】
【００１０】
以下、一実施の形態を示す図面に基づいて本発明を詳細に説明する。図１は本発明の一実施形態を示すロック装置の施錠状態を示す縦断面図、図２は本発明のロック装置の解錠状態を示す縦断面図、図３は本発明のロック装置の横断面図である。ここでロック装置１０は、戸当たり枠１１に設けられた受け部材１２に、扉体側に設けた係止部材３０を係合させて施錠するものであって、ロック装置１０は、扉体１３に固定される錠箱１４と、錠箱１４に回転可能に設けられ、先端が前記受け部材１２と係合する鎌部材１５とを備えた係止部材３０とからなり、前記係止部材３０は、鎌部材１５が前記錠箱１４から突出し、前記受け部材１２と係合する施錠位置と前記錠箱内に収容された解錠位置で前記錠箱内にそれぞれ設けられた被係合部１７に係合する突起部１８ｃを有する撓み性を備えた撓み部１８ｂを備え、前記撓み部１８ｂは、前記係止部材３０の回転方向に沿って延出されている。
【００１１】
摘み部１６は、錠箱１４に形成された円形の装着孔１９に装着され、鎌部材１５と保持部材１８に夫れぞれ形成された小判形の装着孔１５ａ、１８ａを貫いて一体的に回動させる軸部２０と、軸部２０の一端で、錠箱１４の側面に突出配置された操作用のサムターン２１と、軸部２０の他端で、錠箱１４の側面に突出配置されたキャップ部材２２とを有している。また、扉体１３の室外側に配置されるキャップ部材２２にドライバー等で回動させることの出来る凹溝２２ａが形成されている。したがって、非常時には室外から解錠できる。
【００１２】
錠箱１４は、図４に示すように側壁に摘み部１６が回動可能に装着される円形の装着孔１９が形成されると共に、装着孔１９と同心円状の円弧溝２３が形成される。また、正面には、鎌部材１５の突出、退避する開口１４ａが形成されている。更に、正面の上下端には、扉体１３に固定するためのビス孔２４が形成されている。また、錠箱１４の内壁には保持部材１８の突起部と係合し、鎌部材１５を突出位置に保持する第１被係合部１７−１と、鎌部材１５を退避位置に保持する第２被係合部１７−２とが突設されている。第１被係合部１７−１と第２被係合部１７−２とは、保持部材１８（鎌部材）の回動中心Ｏと同心円上に、頂部が形成されており、第１被係合部１７−１と第２被係合部１７−２とはそれぞれ保持部材１８の撓み部（突起部１８ｃ）が乗り越え可能である。また、第１被係合部１７−１と第２被係合部１７−２の配置は、係止部材３０の解錠時の回転方向と一致している。本実施の形態では、第１被係合部１７−１は、錠箱１４の天井部に、第２被係合部１７−２は錠箱１４の正面側（開口側）に形成されているが、第２被係合部１７−２は錠箱の奥端に形成してもよい。
【００１３】
第１被係合部１７−１は、保持部材１８の撓み部の突起部１８ｃが解錠状態から施錠状態に移行する際に当接する第１当接面１７−１ａと、施錠状態に当接する第２当接面１７−１ｂとを有し、第２当接面１７−１ｂは第１当接面１７−１ａより傾斜角度が大きい。したがって、突起部１８ｃは、第１当接面１７−１ａを乗り越える方が容易である。また、乗り越える際に、クリック感を得ることができる。
【００１４】
鎌部材１５は、図５に示すように軸部２０の挿貫される小判形の装着孔１５ａと、戸当たり枠に設けられた受け部材１２と係合する鎌部１５ｂとを有している。また、鎌部材１５と保持部材１８は、中央の装着孔１５ａ、１８ａが夫れぞれ一致するように組み付けられて、錠箱１４内に収納される。
【００１５】
保持部材１８は、図６に示すように保持部材１８の回動中心と略等しい同心円状に形成された撓み部１８ｂを有するとともに、撓み部１８ｂの自由端外周に第１被係合部１７−１及び第２被係合部１７−２と当接する突起部１８ｃを備えている。また、図６（ｂ）に示すように装着孔１８ａの周囲には、同心円状に円筒２５が立設されており、保持部材１８及び鎌部材１５を円滑に回動するべく、錠箱１４の装着孔１９に回動可能に支承される。また、保持部材１８の側面には、円柱突起２６が立設されており、錠箱１４の円弧溝２３に遊嵌される。したがって、鎌部材１５の回動動作を円滑にすることができる。また、正面の開口１８ｄから鎌部材１５の鎌部１５ｂが突出する。
【００１６】
このように構成されたロック装置１０の動作を図１〜３、図７〜８に従って説明する。図１は、施錠状態を示す縦断面図、図７は、施錠状態を示す側面図、図８は施錠状態を示す正面図である。ここで、鎌部材１５は錠箱１４から突出して戸当たり枠１１側に設けた受け部材１２と係合している。また、保持部材１８の撓み部１８ｂに形成された突起部１８ｃは、第１被係合部１７−１の第２当接面１７−１ｂに当接している。したがって、鎌部材１５は突出状態に保持され、不用意に後退する虞がない。施錠状態から解錠するには、サムターン２１を指で摘んで廻すことで、容易に解錠できる。
【００１７】
図２は解錠状態を示す縦断面図である。ここで、鎌部材１５は錠箱１４内に収納されている。また、保持部材１８の弾性変形する撓み部１８ｂに形成された突起部１８ｃは、第２被係合部１７−２に当接している。したがって、鎌部材１５は扉体１３の開閉動作等によって、不用意に突出する虞がない。解錠状態から施錠するには、サムターン２１を指で摘んで廻すことで、容易に施錠できる。
【００１８】
この様に本発明のロック装置１０は、保持部材１８の撓み部１８ｂが撓むことにより鎌部材１５を施錠状態或いは解錠状態に保持し、錠箱が撓むことがなく、周囲に余分な空間を確保する必要がないので、省スペースに設置することができる。また、部品点数も少なくすることができる。また、本発明のロック装置は、引き戸や折れ戸のロック装置として広く利用できる。
【符号の説明】
【００１９】
１０    ロック装置
１１    戸当たり枠
１２    受け部材
１３    扉体
１４    錠箱
１４ａ  開口
１５    鎌部材
１５ａ  装着孔
１６    摘み部
１７    被係合部
１７−１  第１被係合部
１７−１ａ  第１当接面
１７−１ｂ  第２当接面
１７−２  第２被係合部
１８    保持部材
１８ａ  装着孔
１８ｂ  撓み部
１８ｃ  突起部
１９    装着孔
２０    軸部
２１    サムターン
２２    キャップ部材
２２ａ  凹溝  
２３    円弧溝
２４    ビス孔
２５    円筒
２６    円柱突起
３０    係止部材
【図１】
0005972023.tif 000002
【図２】
0005972023.tif 000003
【図３】
0005972023.tif 000004
【図４】
0005972023.tif 000005
【図５】
0005972023.tif 000006
【図６】
0005972023.tif 000007
【図７】
0005972023.tif 000008
【図８】
0005972023.tif 000009